(57)【要約】【課題】鉄筋等の支持材に対する取付や位置調整を簡単に行うことができて、取り外しも行えて再使用できるレベルマーカを、簡単な構成によって提供すること。【解決手段】天端レベル３０に対応する位置に配置されている、または配置した支持材２０に当接される基部１１と、この基部１１に一体化されて支持材２０を両側から挟持する一対のアーム部１２とを備えて、支持材２０に対して両アーム部１２によって挟持させたとき、天端レベル３０を指し示し得るようにしたこと。【選択図】図１
2009127341.tif 000002
【特許請求の範囲】
【請求項１】
コンクリートによって形成すべき天端レベルを指し示すレベルマーカであって、
前記天端レベルに対応する位置に配置されている、または配置した支持材に当接される基部と、この基部に一体化されて前記支持材を両側から挟持する一対のアーム部とを備えて、
前記支持材に対して前記両アーム部によって挟持させたとき、前記天端レベルを指し示し得るようにしたことを特徴とするレベルマーカ。
【請求項２】
前記一対のアーム部を１組とした組の複数を一体化したことを特徴とする請求項１に記載のレベルマーカ。
【請求項３】
前記各組を構成している一対のアーム部の大きさを他の組のそれとは異なったものとしたことを特徴とする請求項２に記載のレベルマーカ。
【請求項４】
前記基部またはアーム部に、前記支持材の軸心方向と平行な取付穴を設けて、この取付穴に補助指示部材を位置調節可能に取り付けたことを特徴とする請求項１〜３のいずれかに記載のレベルマーカ。
【発明の詳細な説明】
【技術分野】
【０００１】
本発明は、打設したコンクリートの表面が、設計された天端レベルとなるようにするためのレベルマーカに関するものである。
【背景技術】
【０００２】
打設されたコンクリートの表面位置、またはこの上に流し込まれたレベリング材の表面位置は、「天端レベル」と言われるが、この「天端レベル」は、設計された位置、つまり高さでなければならない。換言すれば、設計された「天端レベル」とするためには、コンクリートの打設量を調整しなければならないのであり、この打設量の調整手段として、特許文献１に示されているようなものが採用されている。
【０００３】
この特許文献１には、図７に示すように、「摺動片に端部を介して、間隔を隔てて位置するラチェットのラックに、舌片より連設されている抱持部を連設し、舌片を境して、ラチェットのラックに端部を介して、間隙てて位置する摺動片を連設し、抱持部を介して舌片に連設」されている「レベル用挟持具」が提案されており、この「レベル用挟持具」では、抱持部が収縮自在であるため、当該「レベル用挟持具」が取り付けられるべき鉄筋などの支持材に大小があっても、十分対応することができるものとなっている。
【特許文献１】実開昭６０−１２９４５３号公報
【発明の開示】
【発明が解決しようとする課題】
【０００４】
しかしながら、この特許文献１の「レベル用挟持具」では、抱持部を収縮させて、ラックにラチェットを一旦係合させてしまうと、その係合解除を容易には行えなくなり、鉄筋等の支持材から容易には取り外せなくなると考えられ、この「レベル用挟持具」の位置調整のし直しや、再使用ができないものと考えられる。特に、天端レベルを指し示すこの種の「レベル用部材」は、「レベル指示のための位置調整」が行えないとなると、致命傷を抱えていると考えられる。
【０００５】
そこで、本発明者等は、この種の「レベル用挟持具」やマーカについて、鉄筋等の支持材に対する取付は勿論、位置調整も簡単に行え、しかも再使用できるようにするにはどうしたらよいか、について種々検討を重ねてきた結果、本発明を完成したのである。
【０００６】
すなわち、本発明の目的とするところは、鉄筋等の支持材に対する取付や位置調整を簡単に行うことができて、取り外しも行えて再使用できるレベルマーカを、簡単な構成によって提供することにある。また、本発明の他に目的とするところは、支持材の大きさが異なっても、これに簡単に適応することのできるレベルマーカを提供することにある。
【課題を解決するための手段】
【０００７】
以上の課題を解決するために、まず、請求項１に係る発明の採った手段は、後述する最良形態の説明中で使用する符号を付して説明すると、
「コンクリートによって形成すべき天端レベル３０を指し示すレベルマーカ１０であって、
天端レベル３０に対応する位置に配置されている、または配置した支持材２０に当接される基部１１と、この基部１１に一体化されて支持材２０を両側から挟持する一対のアーム部１２とを備えて、
支持材２０に対して両アーム部１２によって挟持させたとき、天端レベル３０を指し示し得るようにしたことを特徴とするレベルマーカ１０」
である。
【０００８】
すなわち、本発明に係るレベルマーカ１０は、図１にも示すように、コンクリートによって形成すべき天端レベル３０を指し示すものであり、天端レベル３０に対応する位置に配置されている、または配置した支持材２０に嵌め込んで取り付けられるものである。この場合の支持材２０は、型枠内に組み込まれた鉄筋であってもよいし、鉄筋に取り付けた別の棒材であってもよい。
【０００９】
そのために、このレベルマーカ１０は、図２〜図６に示すように、支持材２０に当接される基部１１と、この基部１１に一体化されて支持材２０を両側から挟持する一対のアーム部１２とを備えていて、図２に示すように、両アーム部１２内に支持材２０が入り込むように嵌め込まれるものである。
【００１０】
この嵌め込み作業は、当該レベルマーカ１０の両アーム部１２間に形成されているスリット内に支持材２０が位置するようにしてから、当該レベルマーカ１０全体を支持材２０に向けて押圧するだけで、簡単に行える。当該レベルマーカ１０を押圧すれば、その力によって両アーム部１２が支持材２０の太さに応じて両側に開放され、支持材２０が両アーム部１２内に完全に入って基部１１の内面が支持材２０に当接すれば、両アーム部１２は元の状態に戻って支持材２０を両側から挟持するからである。
【００１１】
勿論、このレベルマーカ１０が嵌め込まれるべき支持材２０は、垂直状態に立っている鉄筋を使用すればよいが、そのような鉄筋がない場合には、別の棒材を用意して、これを垂直になるように配置して使用すればよい。
【００１２】
また、当該レベルマーカ１０は、その下端（図１の右側に示したものの場合）または上端（図１の左側に示したものの場合）が、設計された天端レベル３０を指し示すように、支持材２０に対する高さ位置を決めなければならないが、垂直に立っている支持材２０または棒材に対して嵌め込んだ当該レベルマーカ１０を上下に摺動させるだけで、設計された天端レベル３０に合わせた位置調整が調整できる。何故なら、このレベルマーカ１０においては、各アーム部１２が、基部１１に対してある程度の弾力性をもった状態で一体化されており、各アーム部１２は、基部１１に対してある程度の範囲で自由に曲がるものとなっているからである。
【００１３】
さらに、このレベルマーカ１０は、支持材２０に対する摺動や回転が自由に行えるのであるから、これを取り外す場合に、作業し易い方向、例えば引き外しに邪魔になるものが存在しない方向に摺動または回転させることによって、取り外し作業も簡単に行えることになる。
【００１４】
換言すれば、このレベルマーカ１０は、図７に示した従来のもののように、抱持部を収縮させてラックとラチェットとを固定的に係合させてしまうものではないから、両アーム部１２によって支持材２０に挟持させたとき、この両アーム部１２の挟持力以上の力を加えれば、支持材２０の軸方向に対する摺動も半径方向に対する回転も、自由に行える。換言すれば、このレベルマーカ１０は、それ自体が指し示す位置を自由に変更できるのである。
【００１５】
そして、このレベルマーカ１０は、図１の左側に示したように、天端レベル３０の下側、つまりコンクリート内に埋設するように使用してもよいし、図１の右側に示したように、天端レベル３０の上側、つまりコンクリート内に埋設しないで後に取り外すようにしてもよいものである。このため、コンクリート内に埋設しないで後に取り外したレベルマーカ１０は、これを他の工事で再使用できることは、言うまでもないことである。
【００１６】
従って、この請求項１に係るレベルマーカ１０は、支持材２０に対する取付や位置調整を簡単に行うことができて、取り外しも行えて再使用できるものとなっているのである。
【００１７】
上記課題を解決するために、請求項２に係る発明の採った手段は、上記請求項１に記載のレベルマーカ１０について、
「一対のアーム部１２を１組とした組の複数を一体化したこと」
である。
【００１８】
すなわち、この請求項２のレベルマーカ１０では、一対のアーム部１２を１組とした場合に、図３及び図６に示すように、この組を複数となるように構成して、これらの組のアーム部１２を基部１１に一体化したものである。
【００１９】
このようにした場合には、一対のアーム部１２によって構成された組の存在する数だけ、当該レベルマーカ１０の支持材２０に対する取り付け箇所が増加することになって、当該レベルマーカ１０の支持材２０に対する取り付け位置が増加することになり、その取付作業の自由度が増加することになる。つまり、当該レベルマーカ１０を作業者が片手で持って支持材２０に係合させたい場合に、手の中で少し回転させることにより、両アーム部１２間にあるスリットを支持材２０に向けることが簡単になるのであり、取付作業性が良好になっているのである。
【００２０】
従って、この請求項２に係るレベルマーカ１０は、上記請求項１のそれと同様な機能を発揮する他、支持材２０に対する取り付け作業が容易になっているのである。
【００２１】
また、上記課題を解決するために、請求項３に係る発明の採った手段は、上記請求項２に記載のレベルマーカ１０について、
「前記各組を構成している一対のアーム部１２の大きさを他の組のそれとは異なったものとしたこと」
である。
【００２２】
このようにした場合には、支持材２０の大きさ（直径）が変化しても、これに容易に対応できるものとなる。一般に、支持材２０である鉄筋は、その直径が規格化されていてそれ程種類は多くなく、しかも、各組を構成しているアーム部１２はある程度範囲内で自由に撓むものであるから、結果的に、支持材２０の大きさ（直径）が変化しても、本発明に係るレベルマーカ１０は十分対応することができるものとなるのである。
【００２３】
従って、この請求項３に係るレベルマーカ１０は、上記請求項２のそれと同様な機能を発揮する他、支持材２０の大きさ（太さ）が異なっても、これに簡単に適応できるものとなっているのである。
【００２４】
さらに、上記課題を解決するために、請求項４に係る発明の採った手段は、上記請求項１〜３のいずれかに記載のレベルマーカ１０について、
「基部１１またはアーム部１２に、支持材２０の軸心方向と平行な取付穴１３を設けて、この取付穴１３に補助指示部材１４を位置調節可能に取り付けたこと」
である。
【００２５】
すなわち、このレベルマーカ１０では、図５に示すように、比較的（図１の左側の場合に比較して）深い位置に埋設して使用する場合に、当該レベルマーカ１０自体では、天端レベル３０の位置を指し示すことができないため、ネジや釘のような補助指示部材１４を採用するようにしたものである。換言すれば、この請求項４のレベルマーカ１０は、図４に示すように、基部１１またはアーム部１２に、支持材２０の軸心方向と平行な取付穴１３を設けておいて、この取付穴１３に、図４の（ａ）及び図５に示すように、補助指示部材１４を位置調節可能に取り付けるようにしたものである。
【００２６】
この補助指示部材１４を取付穴１３に位置調節可能に取り付ける方法としては、最も簡単には、取付穴１３をネジ穴としておいて、補助指示部材１４をネジにすればよい。これにより、支持材２０に一旦取り付けたレベルマーカ１０に対して、ネジを螺進あるいは螺退させることにより、当該補助指示部材１４のレベルマーカ１０からの突出量を調整できる。なお、取付穴１３内に板バネを挿入しておけば、補助指示部材１４の取付穴１３に対する位置決めを自在に行えることになり、補助指示部材１４の取付穴１３に対する位置調節可能な取付が可能になる。
【００２７】
勿論、この補助指示部材１４を採用した場合には、図５に示すように、その頭部が天端レベル３０を指し示すことになり、この頭部の位置に合わせて、モルタルやレベリング材等を流し込めば良いことは言うまでもない。
【００２８】
従って、この請求項４のレベルマーカ１０は、上記請求項１〜３のそれと同様な機能を発揮する他、取付穴１３に対して補助指示部材１４を進退させることにより、指し示すべき天端レベル３０の位置調整が容易に行えるものとなっているのである。
【発明の効果】
【００２９】
以上説明したとおり、本発明においては、
「コンクリートによって形成すべき天端レベル３０を指し示すレベルマーカ１０であって、
天端レベル３０に対応する位置に配置されている、または配置した支持材２０に当接される基部１１と、この基部１１に一体化されて支持材２０を両側から挟持する一対のアーム部１２とを備えて、
支持材２０に対して両アーム部１２によって挟持させたとき、天端レベル３０を指し示し得るようにしたこと」
にその構成上の主たる特徴があり、これにより、鉄筋等の支持材２０に対する取付や位置調整を簡単に行うことができて、取り外しも行えて再使用できるレベルマーカ１０を、簡単な構成によって提供することができるのである。
【発明を実施するための最良の形態】
【００３０】
次に、上記のように構成した各請求項に係る発明を、図面に示した最良の形態であるレベルマーカ１０について説明すると、図１には、最良形態に係るレベルマーカ１０を実際に使用している状態が示してある。このレベルマーカ１０は、図２〜図６に示したように、基部１１と、アーム部１２とを有するものであり、例えば合成樹脂材料を使用して一体成形したものである。
【００３１】
基部１１は、図２にも示したように、内面が円弧状となっているものであり、支持材２０の表面に「面」で当接することができるものである。この基部１１には、一対のアーム部１２が一体化してあり、図３にも示したように、これらのアーム部１２の内面と基部１１の内面とで、支持材２０の断面形状である円に近い円弧面が形成できるようになっている。
【００３２】
また、各アーム部１２の先端部には案内面１２ａが一体化してあり、これらの案内面１２ａは、当該レベルマーカ１０を支持材２０に対して押圧したとき、両アーム部１２を拡開するように、支持材２０の表面にて案内されるものである。そして、これらの案内面１２ａの先端によって、図２あるいは図３の（ａ）に示したように、スリットが形成されるのであり、このスリットの存在によって支持材２０へ当接させたときの位置決めが行えるようになっている。換言すれば、両案内面１２ａによって形成されているスリットを支持材２０の表面に合わせれば、当該レベルマーカ１０の支持材２０に対する嵌め込みを確実に行える位置に、当該レベルマーカ１０の位置合わせができるのである。
【００３３】
また、本最良形態のレベルマーカ１０は、その全体を、赤や黄色のような明色を採用した着色が施してあり、当該レベルマーカ１０の存在によって、天端レベル３０を指し示すことができるようにしてある。
【００３４】
さらに、このレベルマーカ１０については、図３の（ａ）、あるいは図６の（ａ）及び（ｂ）に示したように、一対のアーム部１２を１組とした組の複数を、基部１１にて一体化してある。これにより、各アーム部１２間のスリット数を増加させて、一本の支持材２０に対する取り付け位置が複数になるようにしてある。
【００３５】
また、このレベルマーカ１０については、図６の（ｂ）にて明瞭に示したように、前記各組を構成している一対のアーム部１２の大きさを他の組のそれとは異なったものとしてある。これにより、支持材２０の太さが異なった場合においても、当該レベルマーカ１０の支持材２０に対する取り付けが容易に行えるようにしてある。
【００３６】
そして、このレベルマーカ１０については、図４に示したように、その基部１１に肉厚部１１ａを形成しておいて、この肉厚部１１ａに取付穴１３を設けるように実施することもある。すなわち、この取付穴１３を設けたレベルマーカ１０では、図５に示したように、比較的深い位置に埋設して使用する場合に、当該レベルマーカ１０自体では、天端レベル３０の位置を指し示すことができないため、ネジや釘のような補助指示部材１４を採用して、この補助指示部材１４を上記取付穴１３に進退可能に取り付けるようにしたものである。
【００３７】
換言すれば、これらの取付穴１３及び補助指示部材１４を有するレベルマーカ１０は、支持材２０に一旦取り付けたレベルマーカ１０に対して、ネジを螺進あるいは螺退させることにより、当該補助指示部材１４のレベルマーカ１０からの突出量が調整できるものとしてある。勿論、取付穴１３内に板バネを挿入しておけば、補助指示部材１４の取付穴１３に対する位置決めを自在に行えることになり、取付穴１３や補助指示部材１４にネジ部分を形成しなくても、当該補助指示部材１４の取付穴１３に対する位置調節可能な取付が可能になる。
【００３８】
勿論、この補助指示部材１４を採用した場合には、図５に示したように、その頭部が天端レベル３０を指し示すことになり、この頭部の位置に合わせて、モルタルやレベリング材等を流し込めば良いことは言うまでもない。
【図面の簡単な説明】
【００３９】
【図１】本発明に係るレベルマーカを施工した例を示す断面図である。
【図２】同レベルマーカの拡大斜視図である。
【図３】同レベルマーカを示すもので、（ａ）は拡大平面図、（ｂ）は左側面図、（ｃ）は正面図、（ｄ）は右側面図である。
【図４】同レベルマーカであって、補助指示部材のための取付穴を設けた例を示すもので、（ａ）は拡大斜視図、（ｂ）は平面図である。
【図５】図４に示したレベルマーカを施工した例を示す断面図である。
【図６】他のレベルマーカを示すもので、（ａ）は拡大斜視図、（ｂ）は平面図、（ｃ）は左側面図、（ｄ）は正面図、（ｅ）は右側面図である。
【図７】従来の技術を示す斜視図である。
【符号の説明】
【００４０】
１０    レベルマーカ
１１    基部
１１ａ  肉厚部
１２    アーム部
１２ａ  案内面
１３    取付穴
１４    補助指示部材
２０    支持材
３０    天端レベル
【図１】
2009127341.tif 000003
【図２】
2009127341.tif 000004
【図３】
2009127341.tif 000005
【図４】
2009127341.tif 000006
【図５】
2009127341.tif 000007
【図６】
2009127341.tif 000008
【図７】
2009127341.tif 000009